(57)【要約】【課題】端末装置と基地局装置が互いに、効率的に通信することができる。【解決手段】端末装置は、チャネルで情報を送信し、前記情報のビット系列ｂ’（ｉ）をπ／２シフトＢＰＳＫ（Binary Phase Shift Keying）変調することによって、π／２シフトＢＰＳＫ変調シンボルの系列ｄ（ｉ）を生成し、前記π／２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる。【選択図】図５
2019075595.tif 000002
【特許請求の範囲】
【請求項１】
チャネルで情報を送信する送信部と、
前記情報のビット系列ｂ’（ｉ）をπ／２シフトＢＰＳＫ（Binary Phase Shift Keying）変調することによって、π／２シフトＢＰＳＫ変調シンボルの系列ｄ（ｉ）を生成す
る変調部と、を備え、
前記π／２シフトＢＰＳＫ変調シンボルの系列ｄ（ｉ）のそれぞれに対して、０度、または、９０度の位相回転が交互に適用され、
前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる
端末装置。
【請求項２】
下りリンクにおいて送信されるＮＳＳＳ（Narrowband Secondary Synchronization Signal）に少なくとも基づいて前記ＮＰＣＩを検出する受信部を備える
請求項１の端末装置。
【請求項３】
前記受信部は、前記チャネルが対応する前記サブキャリアの前記サブキャリアインデックスを示す下りリンク制御情報を含むＮＰＤＣＣＨ（Narrowband Physical Downlink Control Channel）を受信する
請求項２の端末装置。
【請求項４】
チャネルで情報を受信する受信部と、
前記情報のビット系列ｂ’（ｉ）から生成されたπ／２シフトＢＰＳＫ（Binary Phase
Shift Keying）変調シンボルの系列ｄ（ｉ）を復調する復調部と、を備え、
前記π／２シフトＢＰＳＫ変調シンボルの系列ｄ（ｉ）のそれぞれに対して、０度、または、９０度の位相回転が交互に適用され、
前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる
基地局装置。
【請求項５】
前記ＮＰＣＩに基づいて生成されるＮＳＳＳ（Narrowband Secondary Synchronization
Signal）を送信する送信部を備える
請求項４の基地局装置。
【請求項６】
前記送信部は、前記チャネルが対応する前記サブキャリアの前記サブキャリアインデックスを示す下りリンク制御情報を含むＮＰＤＣＣＨ（Narrowband Physical Downlink Control Channel）を送信する
請求項５の基地局装置。
【請求項７】
端末装置に用いられる通信方法であって、
チャネルで情報を送信し、
前記情報のビット系列ｂ’（ｉ）をπ／２シフトＢＰＳＫ（Binary Phase Shift Keying）変調することによって、π／２シフトＢＰＳＫ変調シンボルの系列ｄ（ｉ）を生成し
、
前記π／２シフトＢＰＳＫ変調シンボルの系列ｄ（ｉ）のそれぞれに対して、０度、または、９０度の位相回転が交互に適用され、
前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる
通信方法。
【請求項８】
下りリンクにおいて送信されるＮＳＳＳ（Narrowband Secondary Synchronization Signal）に少なくとも基づいて前記ＮＰＣＩを検出する
請求項７の通信方法。
【請求項９】
前記チャネルが対応する前記サブキャリアの前記サブキャリアインデックスを示す下りリンク制御情報を含むＮＰＤＣＣＨ（Narrowband Physical Downlink Control Channel）を受信する
請求項８の通信方法。
【請求項１０】
基地局装置に用いられる通信方法であって、
チャネルで情報を受信し、
前記情報のビット系列ｂ’（ｉ）から生成されたπ／２シフトＢＰＳＫ（Binary Phase
Shift Keying）変調シンボルの系列ｄ（ｉ）を復調する復調部と、を備え、
前記π／２シフトＢＰＳＫ変調シンボルの系列ｄ（ｉ）のそれぞれに対して、０度、または、９０度の位相回転が交互に適用され、
前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる
通信方法。
【請求項１１】
前記ＮＰＣＩに基づいて生成されるＮＳＳＳ（Narrowband Secondary Synchronization
Signal）を送信する
請求項１０の通信方法。
【請求項１２】
前記チャネルが対応する前記サブキャリアの前記サブキャリアインデックスを示す下りリンク制御情報を含むＮＰＤＣＣＨ（Narrowband Physical Downlink Control Channel）を送信する
請求項１１の通信方法。
【請求項１３】
端末装置に実装される集積回路であって、
チャネルで情報を送信する送信回路と、
前記情報のビット系列ｂ’（ｉ）をπ／２シフトＢＰＳＫ（Binary Phase Shift Keying）変調することによって、π／２シフトＢＰＳＫ変調シンボルの系列ｄ（ｉ）を生成す
る変調回路と、を備え、
前記π／２シフトＢＰＳＫ変調シンボルの系列ｄ（ｉ）のそれぞれに対して、０度、または、９０度の位相回転が交互に適用され、
前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる
集積回路。
【請求項１４】
基地局装置に実装される集積回路であって、
チャネルで情報を受信する受信回路と、
前記情報のビット系列ｂ’（ｉ）から生成されたπ／２シフトＢＰＳＫ（Binary Phase
Shift Keying）変調シンボルの系列ｄ（ｉ）を復調する復調回路と、を備え、
前記π／２シフトＢＰＳＫ変調シンボルの系列ｄ（ｉ）のそれぞれに対して、０度、または、９０度の位相回転が交互に適用され、
前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）の標準化作業が、第三世代パートナーシッププロジェクト（3rd Generation Partnership Project: 3GPP）によって行われている（非特許文献１、２、３）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセル
ラー通信システムである。単一の基地局装置は複数のセルを管理してもよい。
【０００３】
３ＧＰＰでは、端末装置のコスト削減、および、端末装置の消費電力削減のために、ＮＢ−ＩｏＴ（Narrow band - Internet of Things）の標準化作業を行っている。（非特許文献６）。ＮＢ−ＩｏＴの上りリンクに対して、１つのトーンを用いた送信がサポートされる（非特許文献７）。
【先行技術文献】
【非特許文献】
【０００４】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"Status Report for WI: NarrowBand IOT", RP-151931, Vodafone, Huawei, Ericsson, Qualcomm, 3GPP TSG RAN Meeting #70, Sitges, Spain, 7th - 10th December 2015.
【非特許文献７】"Revised Work Item: Narrowband IoT (NB-IoT)", RP-152284, Huawei, HiSilicon, 3GPP TSG RAN Meeting #70, Sitges, Spain, 7th - 10th December 2015.
【発明の概要】
【発明が解決しようとする課題】
【０００５】
本発明は効率的に基地局装置と通信することができる端末装置、該端末装置と通信する基地局装置、該端末装置に用いられる通信方法、該基地局装置に用いられる通信方法、該端末装置に実装される集積回路、該基地局装置に実装される集積回路を提供する。例えば、該端末装置、および、該基地局装置に用いられる通信方法は、セル間、および／または、端末装置間の干渉を低減するための、上りリンク送信方法、変調方法、および／または、符号化方法を含んでもよい。
【課題を解決するための手段】
【０００６】
（１）本発明の態様は、以下のような手段を講じた。すなわち、本発明の第１の態様は端末装置であって、チャネルで情報を送信する送信部と、前記情報のビット系列ｂ’（ｉ）をπ／２シフトＢＰＳＫ（Binary Phase Shift Keying）変調することによって、π／
２シフトＢＰＳＫ変調シンボルの系列ｄ（ｉ）を生成する変調部と、を備え、前記π／２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の
最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる。
【０００７】
（２）本発明の第２の態様は、基地局装置であって、チャネルで情報を受信する受信部と、前記情報のビット系列ｂ’（ｉ）から生成されたπ／２シフトＢＰＳＫ（Binary Phase Shift Keying）変調シンボルの系列ｄ（ｉ）を復調する復調部と、を備え、前記π／
２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる。
【０００８】
（３）本発明の第３の態様は、端末装置に用いられる通信方法であって、チャネルで情報を送信し、前記情報のビット系列ｂ’（ｉ）をπ／２シフトＢＰＳＫ（Binary Phase Shift Keying）変調することによって、π／２シフトＢＰＳＫ変調シンボルの系列ｄ（ｉ
）を生成し、前記π／２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づ
いて与えられる。
【０００９】
（４）本発明の第４の態様は、基地局装置に用いられる通信方法であって、チャネルで情報を受信し、前記情報のビット系列ｂ’（ｉ）から生成されたπ／２シフトＢＰＳＫ（Binary Phase Shift Keying）変調シンボルの系列ｄ（ｉ）を復調する復調部と、を備え
、前記π／２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えら
れる。
【００１０】
（５）本発明の第５の態様は、端末装置に実装される集積回路であって、チャネルで情報を送信する送信回路と、前記情報のビット系列ｂ’（ｉ）をπ／２シフトＢＰＳＫ（Binary Phase Shift Keying）変調することによって、π／２シフトＢＰＳＫ変調シンボル
の系列ｄ（ｉ）を生成する変調回路と、を備え、前記π／２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックス、および／または、ＮＰＣＩ（Narrowband Physical layer Cell Identity）に少なくとも基づいて与えられる。
【００１１】
（６）本発明の第６の態様は、基地局装置に実装される集積回路であって、基地局装置に実装される集積回路であって、チャネルで情報を受信する受信回路と、前記情報のビット系列ｂ’（ｉ）から生成されたπ／２シフトＢＰＳＫ（Binary Phase Shift Keying）
変調シンボルの系列ｄ（ｉ）を復調する復調回路と、を備え、前記π／２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の最初のπ／２シフトＢＰＳＫ変調シンボルｄ（０）に適用される位相回転量は、前記チャネルが対応する
サブキャリアのサブキャリアインデックス、および／または、ＮＰＣＩ（Narrowband Physical layer Cell Identity）に少なくとも基づいて与えられる。
【発明の効果】
【００１２】
この発明によれば、端末装置および基地局装置は互いに、効率的に通信することができる。
【図面の簡単な説明】
【００１３】
【図１】本実施形態の無線通信システムの概念図である。
【図２】本実施形態の無線フレームの構成の一例を示す図である。
【図３】本実施形態の上りリンクスロットの概略構成を示す図である。
【図４】本実施形態におけるＮＢ−ＩｏＴセルのチャネル帯域幅設定の一例を示す図である。
【図５】本実施形態の端末装置１の構成を示す概略ブロック図である。
【図６】本実施形態の基地局装置３の構成を示す概略ブロック図である。
【図７】本実施形態におけるπ／２−ＢＰＳＫの信号点の一例を示す図である。
【図８】本実施形態におけるπ／４−ＱＰＳＫの信号点の一例を示す図である。
【図９】本実施形態におけるπ／２−ＢＰＳＫ変調シンボルおよびπ／４−ＱＰＳＫ変調シンボルを生成するための概略ブロック図である。
【図１０】本実施形態におけるπ／２−ＢＰＳＫ変調シンボルの信号点の一例を示す図である。
【図１１】本実施形態におけるπ／２−ＢＰＳＫ変調シンボルｄ（ｉ）の信号点／位相回転の初期化の一例を示す図である。
【図１２】本実施形態におけるπ／２−ＢＰＳＫ変調シンボルｄ（ｉ）の信号点／位相回転の初期化の一例を示す図である。
【図１３】本実施形態におけるπ／２−ＢＰＳＫが適用されるＮＰＵＳＣＨに関連するＮＵＬ  ＲＳの一例を示す図である。
【図１４】本実施形態におけるπ／４−ＱＰＳＫが適用されるＮＰＵＳＣＨに関連する参照信号の一例を示す図である。
【発明を実施するための形態】
【００１４】
以下、本発明の実施形態について説明する。
【００１５】
ＬＴＥ（Long Term Evolution）（登録商標）とＮＢ−ＩｏＴ（Narrow Band Internet of Things）は、異なるＲＡＴ（Radio Access Technology）として定義されてもよい。ＮＢ−ＩｏＴは、ＬＴＥに含まれる技術として定義されてもよい。本実施形態はＮＢ−ＩｏＴに対して適用されるが、ＬＴＥや、他のＲＡＴに適用されてもよい。
【００１６】
図１は、本実施形態の無線通信システムの概念図である。図１において、無線通信システムは、端末装置１Ａ、端末装置１Ｂ、基地局装置３Ａ、および、基地局装置３Ｂを具備する。端末装置１Ａ、および、端末装置１Ｂを、端末装置１とも称する。基地局装置３は、基地局装置３Ａ、および、基地局装置３Ｂを含む。基地局装置３Ａ、および、基地局装置３Ｂは、別の装置として定義されてもよい。基地局装置３は、コアネットワーク装置を含んでもよい。
【００１７】
端末装置１Ａ、および、基地局装置３Ａは、ＮＢ−ＩｏＴを用いて互いに通信する。端末装置１Ｂ、および、基地局装置３Ｂは、ＮＢ−ＩｏＴを用いて互いに通信する。
【００１８】
本実施形態の無線通信システムは、ＴＤＤ（Time Division Duplex）および／またはＦＤＤ（Frequency Division Duplex）が適用される。本実施形態では、端末装置１に対し
て１つのサービングセルが設定される。端末装置１に対して設定されるサービングセルを、ＮＢ−ＩｏＴセルとも称する。
【００１９】
該設定される１つのサービングセルは、１つのプライマリーセルであってもよい。プライマリーセルは、初期コネクション確立（initial connection establishment）プロシージャが行なわれたサービングセル、コネクション再確立（connection re-establishment
）プロシージャを開始したサービングセル、または、ハンドオーバプロシージャにおいてプライマリーセルと指示されたセルである。
【００２０】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２１】
本実施形態は、スタンドアローン（standalone）、ガードバンド（guard band）、および、インバンド（in-band）の３つのシナリオ／モードに対して適用してもよい。スタン
ドアローンモードにおいて、ＮＢ−ＩｏＴセルのチャネル帯域幅はＬＴＥセルのチャネル帯域幅に含まれない。ガードバンドモードにおいて、ＮＢ−ＩｏＴセルのチャネル帯域幅はＬＴＥセルのガードバンドに含まれる。インバンドモードは、ＮＢ−ＩｏＴセルのチャネル帯域幅はＬＴＥセルの送信帯域幅に含まれる。例えば、ＬＴＥセルのガードバンドは、ＬＴＥセルのチャネル帯域幅に含まれるが、該ＬＴＥセルの送信帯域幅に含まれない帯域である。本実施形態は、何れのモードに対しても適用可能である。
【００２２】
図２は、本実施形態の無線フレームの構成の一例を示す図である。図２において、横軸は時間軸である。
【００２３】
それぞれの無線フレームは、時間領域において連続する１０のサブフレームを含んでもよい。それぞれのサブフレームｉは、時間領域において連続する２つのスロットを含んでもよい。該時間領域において連続する２つのスロットは、無線フレーム内のスロット番号nsが２ｉのスロット、および、無線フレーム内のスロット番号nsが２ｉ＋１のスロットであってもよい。それぞれの無線フレームは、時間領域において連続する１０のサブフレームを含んでもよい。それぞれの無線フレームは、時間領域において連続する２０のスロット（ns=0,1,…,19）を含んでもよい。
【００２４】
以下、本実施形態のスロットの構成について説明する。図３は、本実施形態の上りリンクスロットの概略構成を示す図である。図３において、１つのＮＢ−ＩｏＴセルにおける上りリンクスロットの構成を示す。図３において、横軸は時間軸であり、縦軸は周波数軸である。図３において、ｌはシンボルの番号／インデックスであり、ｋはサブキャリア番号／インデックスである。サブキャリアを、トーン（tone）とも称する。
【００２５】
スロットのそれぞれにおいて送信される物理シグナルまたは物理チャネルは、リソースグリッドによって表現される。上りリンクにおいて、リソースグリッドは複数のサブキャリアと複数の時間シンボルによって定義される。リソースグリッド内のエレメントのそれぞれをリソースエレメントと称する。リソースエレメントａｋ，ｌは、サブキャリア番号／インデックスｋ、および、シンボル番号／インデックスｌによって表される。
【００２６】
リソースグリッドは、アンテナポート毎に定義される。本実施形態では、１つのアンテナポートに対する説明を行う。複数のアンテナポートのそれぞれに対して、本実施形態が適用されてもよい。
【００２７】
上りリンクスロットは、時間領域において、複数のシンボルｌ（l=0,1,…,NULsymb-1）を含む。NULsymbは、１つの上りリンクスロットに含まれるＯＦＤＭシンボルの数を示す
。ノーマルＣＰ（normal Cyclic Prefix）に対して、NULsymbは７でもよい。拡張ＣＰ（extended Cyclic Prefix）に対して、NULsymbは６でもよい。
【００２８】
ＮＢ−ＩｏＴの上りリンクにおいて、送信帯域幅設定（システム帯域幅）は１８０ｋＨｚである。上りリンクスロットは、周波数領域において、複数のサブキャリアｋ（k=0,1,…,NULSC)を含む。NULSCは、ＮＢ−ＩｏＴに対する周波数領域におけるサブキャリアの数である。上りリンクにおいて、サブキャリア間隔Δfは１５ｋＨｚまたは３．７５ｋＨｚ
である。上りリンクのサブキャリア間隔Δfが１５ｋＨｚである場合、NRBscは１２サブキャリアである。上りリンクのサブキャリア間隔Δfが３．７５ｋＨｚである場合、NRBscは４８サブキャリアである。
【００２９】
図４は、本実施形態におけるＮＢ−ＩｏＴセルのチャネル帯域幅設定の一例を示す図である。図４において、横軸は周波数軸である。ＮＢ−ＩｏＴセルの送信帯域幅設定は１８０ｋＨｚであり、ＮＢ−ＩｏＴセルのチャネル帯域幅は２００ｋＨｚである。端末装置１は、１つのシンボルｌにおいて、１つのサブキャリアｋを用いて上りリンク信号を送信する。端末装置１が上りリンク信号の送信のために用いる帯域を、送信帯域幅と称する。
【００３０】
本実施形態の物理チャネルおよび物理シグナルについて説明する。
【００３１】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＮＰＢＣＨ（Narrowband Physical Broadcast Channel）
・ＮＰＤＣＣＨ（Narrowband Physical Downlink Control Channel）
・ＮＰＤＳＣＨ（Narrowband Physical Downlink Shared Channel）
【００３２】
ＮＰＢＣＨは、端末装置１で共通に用いられるシステム情報を報知するために用いられる。
【００３３】
ＮＰＤＣＣＨは、ＮＰＤＳＣＨのスケジューリングのために用いられる下りリンク制御情報（Narrow Band Downlink Control Information: DCI）、および、ＮＰＵＳＣＨ（Narrow Band Physical Uplink Shared Channel）のスケジューリングのために用いられる下
りリンク制御情報を送信するために用いられる。下りリンク制御情報は、ＨＡＲＱ情報を含んでもよい。
【００３４】
下りリンク制御情報に付加されるＣＲＣ（Cyclic Redundancy Check）パリティビット
は、Ｃ−ＲＮＴＩ（Cell-Radio Network Temporary Identifier）、Ｔｅｍｐｏｒａｒｙ
Ｃ−ＲＮＴＩ、または、ＳＰＳ（Semi Persistent Scheduling）Ｃ−ＲＮＴＩCell-Radio Network Temporary Identifier）によってスクランブルされる。Ｃ−ＲＮＴＩおよび
ＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順の間に用いられる。下りリンク制御情報にＲＮＴＩが付加されていることを、ＮＰＤＣＣＨにＲＮＴＩが含まれているとも称する。
【００３５】
Ｃ−ＲＮＴＩは、１つのサブフレームにおけるＮＰＤＳＣＨまたはＮＰＵＳＣＨを制御するために用いられる。ＳＰＳ  Ｃ−ＲＮＴＩは、ＮＰＤＳＣＨまたはＮＰＵＳＣＨのリソースを周期的に割り当てるために用いられる。Ｔｅｍｐｏｒａｒｙ  Ｃ−ＲＮＴＩは、ランダムアクセスメッセージ３の再送信、および、ランダムアクセスメッセージ４の送信
をスケジュールするために用いられる。
【００３６】
ＮＰＤＳＣＨは、下りリンクデータ（Downlink Shared Channel: DL-SCH）を送信する
ために用いられる。
【００３７】
図１において、基地局装置３から端末装置１への下りリンクの無線通信では、以下の下りリンク物理シグナルが用いられる。下りリンク物理シグナルは、上位層から出力された情報を送信するために使用されないが、物理層によって使用される。
・ＮＳＳ（Narrowband Synchronization Signal）
・ＮＤＬ  ＲＳ（Narrowband Downlink Reference Signal）
【００３８】
ＮＳＳは、端末装置１がＮＢ−ＩｏＴセルの下りリンクにおいて周波数および時間の同期を得るために用いられる。ＮＳＳは、ＮＰＳＳ（Narrowband Primary Synchronization
Signal）、および、ＮＳＳＳ（Narrowband Secondary Synchronization Signal）を含む。ＮＳＳＳは、ＮＢ−ＩｏＴセルのＮＰＣＩ（Narrowband Physical layer Cell Identity）に基づいて生成される。端末装置１は、ＮＳＳからＮＢ−ＩｏＴセルのＮＰＣＩを取
得してもよい。
【００３９】
ＮＤＬ  ＲＳは、端末装置１がＮＢ−ＩｏＴセルの下りリンク物理チャネルの伝搬路補正を行なうために用いられてもよい。ＮＤＬ  ＲＳは、端末装置１がＮＢ−ＩｏＴセルの下りリンクのチャネル状態情報を算出するために用いられてもよい。
【００４０】
図１において、基地局装置３から端末装置１への上りリンクの無線通信では、以下の上りリンク物理チャネルが用いられる。上りリンク物理チャネルは、上位層から出力された情報を送信するために、物理層によって使用される。
・ＮＰＲＡＣＨ（Narrowband Physical Random Access Channel）
・ＮＰＵＳＣＨ（Narrowband Physical Uplink Shared Channel）
【００４１】
ＮＰＵＳＣＨは、上りリンクデータ（Uplink Shared Channel: UL-SCH）、および／ま
たは、上りリンク制御情報を送信するために用いられてもよい。上りリンク制御情報は、ＮＰＤＳＣＨ（下りリンクデータ）に対応するＨＡＲＱ−ＡＣＫ（Hybrid Automatic Repeat reQuest ACKnowledgement）を含む。本実施形態において、１回のＮＰＵＳＣＨの送
信は、１つのサブキャリアに対応する。異なるＮＰＵＳＣＨの送信は、異なるサブキャリアに対応してもよい。
【００４２】
図１において、基地局装置３から端末装置１への上りリンクの無線通信では、以下の上りリンク物理シグナルが用いられる。上りリンク物理シグナルは、上位層から出力された情報を送信するために使用されないが、物理層によって使用される。
・ＮＵＬ  ＲＳ（Narrowband Downlink Reference Signal）
【００４３】
ＮＵＬ  ＲＳは、基地局装置１がＮＢ−ＩｏＴセルの上りリンク物理チャネルの伝搬路補正を行なうために用いられてもよい。ＮＵＬ  ＲＳは、端末装置１がＮＢ−ＩｏＴセルの上りリンクのチャネル状態情報を算出するために用いられてもよい。ＮＵＬ  ＲＳは、対応するＮＰＵＳＣＨと同じサブキャリアにマップされてもよい。ＮＵＬ−ＲＳは、ＮＰＵＳＣＨと時間多重されてもよい。
【００４４】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、
物理シグナルと称する。
【００４５】
ＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてト
ランスポートブロック毎にＨＡＲＱ（Hybrid Automatic Repeat reQuest）の制御が行な
われる。トランスポートブロックは、ＭＡＣ層が物理層に渡す（deliver）データの単位
である。物理層において、トランスポートブロックはコードワードにマップされ、コードワード毎に符号化処理が行なわれる。
【００４６】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control
message、RRC information: Radio Resource Control informationとも称される）を送
受信してもよい。また、基地局装置３と端末装置１は、媒体アクセス制御（MAC: Medium Access Control）層において、ＭＡＣ  ＣＥ（Control Element）を送受信してもよい。
ここで、ＲＲＣシグナリング、および／または、ＭＡＣ  ＣＥを、上位層の信号（higher
layer signaling）とも称する。
【００４７】
ＮＰＤＳＣＨは、ＲＲＣシグナリング、および、ＭＡＣ  ＣＥを送信するために用いられる。ここで、基地局装置３からＮＰＤＳＣＨで送信されるＲＲＣシグナリングは、セル内における複数の端末装置１に対して共通のシグナリングであってもよい。基地局装置３からＮＰＤＳＣＨで送信されるＲＲＣシグナリングは、ある端末装置１に対して専用のシグナリング（dedicated signalingまたはUE specific signalingとも称する）であってもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。
【００４８】
同じデータ（トランスポートブロック）に対応する物理チャネル（ＮＰＤＣＣＨ、ＮＰＤＳＣＨ、および、ＮＰＵＳＣＨ）は、連続するサブフレームにおいて繰り返し送信されてもよい。物理チャネルの繰り返しレベル（Repetition Level: RL）は、物理チャネル毎に制御されてもよい。繰り返しレベル１は、同じデータに対応する物理チャネルを繰り返し送信しないことを意味する。１よりも大きい繰り返しレベルは、同じデータに対応する物理チャネルを繰り返し送信することを意味する。すなわち、繰り返しレベルは、時間領域における物理チャネルの１つの送信インスタンス（instance）／アテンプト（attempt
）／バンドル（bundle）の長さに関連する。
【００４９】
繰り返しレベルは、下りリンク制御情報、ＲＲＣシグナリング、ＭＡＣ  ＣＥ、および、範囲レベル（coverage level）の一部、または全部に少なくとも基づいてもよい。当該範囲レベルは、第１の範囲レベル、および、第２の範囲レベルを少なくとも含む。当該範囲レベルは、３つ、または、３より多い範囲レベルを含んでもよい。
【００５０】
範囲レベルは、繰り返しレベルに関連する。第１の範囲レベルが設定された端末装置１は、繰り返しレベルがＸ、または、Ｘより小さい物理チャネルを送信、または、受信してもよい。第１の範囲レベルが設定された端末装置１は、繰り返しレベルがＸより大きい物理チャネルを送信、または、受信しなくてもよい。第２の範囲レベルが設定された端末装置１は、繰り返しレベルがＸより大きい物理チャネルを送信、または、受信してもよい。例えば、Ｘは１、または、３でもよい。
【００５１】
端末装置１は、基地局装置３から受信した情報、および、基地局装置３から受信した信号（ＮＤＬ  ＲＳ）のＲＳＲＰ（Reference Signal Received Power）に基づいて、範囲
レベル（coverage level）を設定してもよい。ここで、当該情報は、下りリンク制御情報、ＲＲＣシグナリング、または、ＭＡＣ  ＣＥでもよい。
【００５２】
以下、本実施形態における装置の構成について説明する。
【００５３】
図５は、本実施形態の端末装置１の構成を示す概略ブロック図である。図示するように、端末装置１は、無線送受信部１０、および、上位層処理部１６を含んで構成される。無線送受信部１０は、アンテナ部１１、ＲＦ（Radio Frequency）部１２、ベースバンド部
１３、符号化および変調部１４、および、復号および復調部１５を含んで構成される。上位層処理部１６は、媒体アクセス制御層処理部１７、および、無線リソース制御層処理部１８を含んで構成される。無線送受信部１０を送信部、受信部、または、物理層処理部とも称する。
【００５４】
上位層処理部１６は、ユーザの操作等により生成された上りリンクデータ（トランスポートブロック）を、無線送受信部１０に出力する。上位層処理部１６は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００５５】
上位層処理部１６が備える媒体アクセス制御層処理部１７は、媒体アクセス制御層の処理を行う。媒体アクセス制御層処理部１７は、無線リソース制御層処理部１８によって管理されている各種設定情報／パラメータに基づいて、スケジューリングリクエストの伝送の制御を行う。
【００５６】
上位層処理部１６が備える無線リソース制御層処理部１８は、無線リソース制御層の処理を行う。無線リソース制御層処理部１８は、自装置の各種設定情報／パラメータの管理をする。無線リソース制御層処理部１８は、基地局装置３から受信した上位層の信号に基づいて各種設定情報／パラメータをセットする。すなわち、無線リソース制御層処理部１８は、基地局装置３から受信した各種設定情報／パラメータを示す情報に基づいて各種設定情報／パラメータをセットする。
【００５７】
無線送受信部１０が備える符号化および変調部１４は、符号化、および、変調などの物理層の処理を行う。無線送受信部１０が備える復号および復調部１５は、復号、および、復調などの物理層の処理を行う。無線送受信部１０は、基地局装置３から受信した信号を、分離、復調、復号し、復号した情報を上位層処理部１６に出力する。無線送受信部１０は、データを変調、符号化することによって送信信号を生成し、基地局装置３に送信する。
【００５８】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００５９】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００６０】
ベースバンド部１３は、ベースバンドのディジタル信号を生成し、ベースバンドのディジタル信号をアナログ信号に変換する。ベースバンド部１３は、変換したアナログ信号をＲＦ部１２に出力する。
【００６１】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００６２】
図６は、本実施形態の基地局装置３Ａの構成を示す概略ブロック図である。基地局装置３Ａの構成は、基地局装置３Ｂの構成と同じである。図示するように、基地局装置３Ａは、無線送受信部３０、および、上位層処理部３６を含んで構成される。無線送受信部３０は、アンテナ部３１、ＲＦ部３２、ベースバンド部３３、符号化および変調部３４、および、復号および復調部３５を含んで構成される。上位層処理部３６は、媒体アクセス制御層処理部３７、および、無線リソース制御層処理部３８を含んで構成される。無線送受信部３０を送信部、受信部、または、物理層処理部とも称する。
【００６３】
上位層処理部３６は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００６４】
上位層処理部３６が備える媒体アクセス制御層処理部３７は、媒体アクセス制御層の処理を行う。媒体アクセス制御層処理部３７は、無線リソース制御層処理部３８によって管理されている各種設定情報／パラメータに基づいて、スケジューリングリクエストに関する処理を行う。
【００６５】
上位層処理部３６が備える無線リソース制御層処理部３８は、無線リソース制御層の処理を行う。無線リソース制御層処理部３８は、物理下りリンク共用チャネルに配置される下りリンクデータ（トランスポートブロック）、システム情報、ＲＲＣメッセージ、ＭＡＣ  ＣＥ（Control Element）などを生成し、又は上位ノードから取得し、無線送受信部
３０に出力する。また、無線リソース制御層処理部３８は、端末装置１各々の各種設定情報／パラメータの管理をする。無線リソース制御層処理部３８は、上位層の信号を介して端末装置１各々に対して各種設定情報／パラメータをセットしてもよい。すなわち、無線リソース制御層処理部３８は、各種設定情報／パラメータを示す情報を送信／報知する。
【００６６】
無線送受信部３０の機能は、無線送受信部１０と同様であるため説明を省略する。
【００６７】
端末装置１が備える符号１０から符号１８が付された部のそれぞれは、回路として構成されてもよい。基地局装置３が備える符号３０から符号３８が付された部のそれぞれは、回路として構成されてもよい。
【００６８】
端末装置１が備える符号化および変調部１４は、ＮＰＵＳＣＨで送信されるビット系列に対して、π／２−ＢＰＳＫ（Binary Phase Shift Keying）変調方式、または、π／４
−ＱＰＳＫ（Quadrature Phase Shift Keying）変調方式を適用する。π／２−ＢＰＳＫ
を、π／２シフトＢＰＳＫとも称する。π／４−ＱＰＳＫを、π／４シフトＱＰＳＫとも称する。変調シンボルを、複素数値シンボルとも称する。
【００６９】
π／２−ＢＰＳＫについて説明する。π／２−ＢＰＳＫは、ＢＰＳＫによって変調され
た変調シンボルの位相を、変調シンボル毎に互いに９０度（π／２）位相が異なるようにした変調方式である。図７は、本実施形態におけるπ／２−ＢＰＳＫの信号点（constellation）の一例を示す図である。図７において、変調信号にマッピングされるビット列は
１００１である。本実施形態において、Ｉは同相チャネル（Ｉｎ−ｐｈａｓｅ  ｃｈａｎｎｅｌ）であり、Ｑは直交チャネル（Ｑｕａｄｒａｔｕｒｅ  ｃｈａｎｎｅｌ）を表している。図７のπ／２−ＢＰＳＫの場合、初期位相をゼロとすると、最初のビット“１”は同相チャネル上にマッピングされ、２番目のビット“０”はＢＰＳＫ変調された変調シンボルの位相を９０度回転させた直交チャネル上にマッピングされる。同様に３番目のビット“０”は同相チャネル上にマッピングされ、４番目のビット“１”は直交チャネル上にマッピングされる。すなわち、図７において、偶数番目のπ／２−ＢＰＳＫ変調シンボルは位相が回転されず、奇数番目のπ／２−ＢＰＳＫ変調シンボルは位相が９０度回転される。
【００７０】
π／４−ＱＰＳＫについて説明する。π／４−ＱＰＳＫは、ＱＰＳＫにより変調された変調シンボルの位相を、変調シンボル毎に互いに４５度（π／４）位相が異なるようにした変調方式である。図８は、本実施形態におけるπ／４−ＱＰＳＫの信号点の一例を示す図である。図８は、変調信号にマッピングされるビット列は１００１である。図８のπ／４−ＱＰＳＫの場合、初期位相をゼロとすると、最初の２ビット“１０”は、第１ビットを同相チャネルの振幅、直第２ビットを直交チャネルの振幅に割り当てるようにマッピングされる。次の２ビット“０１”は最初の２ビットと同様のルールで割り当てたＱＰＳＫシンボルの位相を４５度回転させた変調信号点にマッピングされる。すなわち、図８において、偶数番目のπ／４−ＱＰＳＫ変調シンボルは位相が回転されず、奇数番目のπ／４−ＱＰＳＫ変調シンボルは位相が４５度回転される。
【００７１】
このように、π／２−ＢＰＳＫやπ／４−ＱＰＳＫは、交互に位相を異なるようにすることで変調信号の包絡線の変動を低く抑えることができ、消費電力を大きく抑えることができる。
【００７２】
π／２−ＢＰＳＫ変調シンボルの信号点は｛１、−１、ｊ、−ｊ｝であってもよい。π／２−ＢＰＳＫ変調シンボルの信号点は、｛１、−１、ｊ、−ｊ｝を４５度回転させた信号点｛ｅｊ・π／４、ｅｊ・３π／４、ｅｊ・５π／４、ｅｊ・７π／４｝であってもよい。ここで、ｅはネイピア数であり、ｊは虚数単位である。
【００７３】
図９は、本実施形態におけるπ／２−ＢＰＳＫ変調シンボルおよびπ／４−ＱＰＳＫ変調シンボルを生成するための概略ブロック図である。入力されたビット列ｂ’（ｉ）（符号ビット、情報ビットなど）は、ＰＳＫ変調部９０１によってＢＰＳＫ変調シンボル、または、ＱＰＳＫ変調シンボルに変調される。スイッチ９０２、および、スイッチ９０３は、変調シンボル毎に交互に切り替えられる。スイッチ９０２、および、スイッチ９０３が上の接点につながっている場合、ＢＰＳＫ変調シンボル、または、ＱＰＳＫ変調シンボルがそのまま出力される。スイッチ９０２、および、スイッチ９０３が下の接点につながっている場合、ＢＰＳＫ変調シンボル、または、ＱＰＳＫ変調シンボルは、位相回転部５０４によって位相が９０度、または、４５度回転され、位相が回転された変調シンボルが出力される。端末装置１の符号化および変調部１４は、ＰＳＫ変調部９０１、スイッチ部９０２、スイッチ部９０３、および、位相回転部９０４を含んでもよい。
【００７４】
ここで、図９はあくまで一例であり、π／２−ＢＰＳＫおよびπ／４−ＱＰＳＫの原理は交互に位相を異なるようにすることであり、同様の効果が得られる構成であれば図９と同一の構成である必要はなく、π／２−ＢＰＳＫおよびπ／４−ＱＰＳＫを実現する構成になっていればどのような構成でも構わない。ここではπ／２−ＢＰＳＫおよびπ／４−ＱＰＳＫについて説明したが、交互に２２．５度位相を回転させるπ／８−８ＰＳＫのよ
うな他の位相シフト位相変調を用いたとしても本発明の範囲を逸脱しない。また、ここでは搬送波を再生して信号を検出する同期検波を前提にしているが、作動符号化および遅延検波を用いて信号を検出できるπ／２−ＤＢＰＳＫ（Differential Binary Phase Shift Keying）、および、π／４−ＤＱＰＳＫ（Differential Quadrature Phase Shift Keying）であってもよい。
【００７５】
入力されたビット列ｂ’（ｉ）に対応する変調シンボルの系列ｄ（ｉ）の最初の変調シンボルｄ（０）の信号点／位相回転は、以下の（Ａ）から（Ｆ）の一部、または、全部に少なくとも基づいて与えられてもよい。
（Ａ）ＮＢ−ＩｏＴセルのＮＰＣＩ
（Ｂ）上位層（ＲＲＣ層）のパラメータ
（Ｃ）ＮＰＵＳＣＨ送信が対応するＲＮＴＩ
（Ｄ）端末装置１の識別子（identity）
（Ｅ）ＮＰＵＳＣＨ送信が対応するサブキャリアインデックス／番号ｋ
（Ｆ）ＮＰＵＳＣＨ送信が対応する最初のサブフレーム
【００７６】
基地局装置３は、（Ｂ）上位層（ＲＲＣ層）のパラメータを含むＮＰＤＳＣＨを、端末装置１に送信してもよい。（Ｃ）ＮＰＵＳＣＨ送信が対応するＲＮＴＩは、Ｃ−ＲＮＴＩ、Ｔｅｍｐｏｒａｒｙ  Ｃ−ＲＮＴＩ、または、ＳＰＳ  Ｃ−ＲＮＴＩである。（Ｃ）ＮＰＵＳＣＨ送信が対応するＲＮＴＩは、ＮＰＵＳＣＨのリソースエレメント（サブキャリア）を割り当てるために用いられるＮＰＤＣＣＨに含まれているＲＮＴＩである。（Ｃ）ＮＰＵＳＣＨ送信が対応するＲＮＴＩは、ＮＰＵＳＣＨのリソースエレメント（サブキャリア）を割り当てるために用いられる下りリンク制御情報に付加されるＣＲＣパリティビットのスクランブルのために用いられるＲＮＴＩである。
【００７７】
例えば、｛（Ａ）＋（Ｅ）｝ｍｏｄ２＝０の場合、最初のπ／２−ＤＢＰＳＫ変調シンボルｄ（０）の信号点は｛１｝であってもよい。例えば、｛（Ａ）＋（Ｅ）｝ｍｏｄ２＝１の場合、最初のπ／２−ＤＢＰＳＫ変調シンボルｄ（０）の信号点は｛ｊ｝であってもよい。ここで、ｊは虚数単位である。ここで、ＸｍｏｄＹは、ＸをＹで割った時の余りを返す関数である。ここで、（Ａ）はＮＢ−ＩｏＴセルのＮＰＣＩであり、（Ｅ）はＮＰＵＳＣＨ送信が対応するサブキャリアインデックス／番号ｋである。
【００７８】
図１０は、本実施形態におけるπ／２−ＢＰＳＫ変調シンボルの信号点の一例を示す図である。図１０において、端末装置１Ａ、および、端末装置１Ｃは、基地局装置３Ａ（セル３Ａ）と通信している。図１０において、端末装置１Ｂと、および、端末装置１Ｄは、基地局装置３Ｂ（セル３Ｂ）と通信している。セル３ＡのＮＰＣＩは０である。セル３ＢのＮＰＣＩは１である。端末装置１Ａ、および、端末装置１Ｂは、サブキャリア０においてＮＰＵＣＨの信号を送信する。端末装置１Ｃ、および、端末装置１Ｄは、サブキャリア１においてＮＰＵＳＣＨの信号を送信する。端末装置１Ａ、端末装置１Ｂ、端末装置１Ｃ、および、端末装置１Ｄは、シンボルｌからＮＰＵＳＣＨの信号の送信を開始する。
【００７９】
図１０において、｛（Ａ）＋（Ｅ）｝ｍｏｄ２＝０の場合、最初のπ／２−ＢＰＳＫ変調シンボルｄ（０）の信号点は、信号点の第１のセット｛１、−１｝のうちの何れかの信号点である。すなわち、｛（Ａ）＋（Ｅ）｝ｍｏｄ２＝０の場合、最初のπ／２−ＢＰＳＫ変調シンボルｄ（０）に対して９０度の位相回転は適用されない。ここで、（Ａ）はＮＢ−ＩｏＴセルのＮＰＣＩであり、（Ｅ）はＮＰＵＳＣＨ送信が対応するサブキャリアインデックス／番号ｋである。図１０において、端末装置１Ｂ、および、端末装置１Ｃは、｛（Ａ）＋（Ｅ）｝ｍｏｄ２＝０を満たす。
【００８０】
図１０において、｛（Ａ）＋（Ｅ）｝ｍｏｄ２＝１の場合、最初のπ／２−ＢＰＳＫ変
調シンボルｄ（０）の信号点は、信号点の第２のセット｛ｊ、−ｊ｝のうちの何れかの信号点である。すなわち、｛（Ａ）＋（Ｅ）｝ｍｏｄ２＝１の場合、最初のπ／２−ＢＰＳＫ変調シンボルｄ（０）に対して９０度の位相回転が適用される。ここで、（Ａ）はＮＢ−ＩｏＴセルのＮＰＣＩであり、（Ｅ）はＮＰＵＳＣＨ送信が対応するサブキャリアインデックス／番号ｋである。図１０において、端末装置１Ａ、および、端末装置１Ｄは、｛（Ａ）＋（Ｅ）｝ｍｏｄ２＝１を満たす。
【００８１】
このように、（Ａ）ＮＢ−ＩｏＴセルのＮＰＣＩに基づいて、最初のπ／２−ＢＰＳＫ変調シンボルｄ（０）の信号点／位相回転が与えられることによって、セル間の干渉を低減することができる。このように、（Ｅ）ＮＰＵＳＣＨ送信が対応するサブキャリアインデックス／番号ｋに基づいて、最初のπ／２−ＢＰＳＫ変調シンボルｄ（０）の信号点／位相回転が与えられることによって、サブキャリア間のシンボル干渉を低減することができ、また、シンボルｌにおけるＩＱ間のバランスを改善することができる。また、上記の（Ａ）から（Ｆ）の一部、または、全部に少なくとも基づいて、最初のπ／２−ＢＰＳＫ変調シンボルｄ（０）の信号点／位相回転が与えられることによって、セル間、および、サブキャリア間の干渉をランダム化することができる。上記の（Ａ）から（Ｆ）の一部、または、全部に少なくとも基づいて最初のπ／２−ＢＰＳＫ変調シンボルｄ（０）の信号点／位相回転を決定することを、π／２−ＢＰＳＫ変調シンボルの初期化とも称する。
【００８２】
上記の（Ａ）から（Ｆ）の一部、または、全部に少なくとも基づく、π／２−ＢＰＳＫ変調シンボルｄ（ｉ）の信号点／位相回転の初期化は、以下の（Ｇ）から（Ｋ）の何れかの単位で行われてもよい。
（Ｇ）１つの送信インスタンス／アテンプト／バンドル
（Ｈ）１つの送信インスタンス／アテンプト／バンドルにおいて繰り返し送信されるＮＰＵＳＣＨ
（Ｉ）ＮＰＵＳＣＨの時間リソース割り当て単位
（Ｊ）サブフレーム
（Ｋ）スロット
【００８３】
図１１、および、図１２は、本実施形態におけるπ／２−ＢＰＳＫ変調シンボルｄ（ｉ）の信号点／位相回転の初期化の一例を示す図である。図１１の（Ｇ）において、１つの送信インスタンス／アテンプト／バンドルの最初のπ／２−ＢＰＳＫ変調シンボルｄ（ｉ）に対して、信号点／位相回転の初期化が行われる。図１１の（Ｈ）において、１つの送信インスタンス／アテンプト／バンドルに含まれるＮＰＵＳＣＨの最初のπ／２−ＢＰＳＫ変調シンボルｄ（ｉ）のそれぞれに対して、信号点／位相回転の初期化が行われる。
【００８４】
図１２の（Ｉ）において、１つの送信インスタンス／アテンプト／バンドルに含まれるＮＰＵＳＣＨの時間リソース割り当て単位の最初のπ／２−ＢＰＳＫ変調シンボルｄ（ｉ）のそれぞれに対して、信号点／位相回転の初期化が行われる。例えば、ＮＰＵＳＣＨの時間リソース割り当て単位は、８サブフレームである。図１２の（Ｊ）において、１つの送信インスタンス／アテンプト／バンドルに含まれるサブフレームの最初のπ／２−ＢＰＳＫ変調シンボルｄ（ｉ）のそれぞれに対して、信号点／位相回転の初期化が行われる。図１２の（Ｋ）において、１つの送信インスタンス／アテンプト／バンドルに含まれるスロットの最初のπ／２−ＢＰＳＫ変調シンボルｄ（ｉ）のそれぞれに対して、信号点／位相回転の初期化が行われる。
【００８５】
ＮＰＵＳＣＨに関連するＮＵＬ  ＲＳについて説明する。ＮＵＬ  ＲＳを、参照シンボルとも称する。
【００８６】
図１３は、本実施形態におけるπ／２−ＢＰＳＫが適用されるＮＰＵＳＣＨに関連する
ＮＵＬ  ＲＳの一例を示す図である。図１３において、ＮＵＬ  ＲＳはスロットのそれぞれにおいて４番目のシンボルに対応する。ステップ１３０１において、ＮＰＵＳＣＨ（上りリンクデータ、および／または、上りリンク制御情報）の符号化ビット系列ｑ（ｉ）に参照ビットｒ（ｉ）を挿入する。π／２−ＢＰＳＫの場合、参照ビットｒ（ｉ）は１ビットずつ挿入される。ステップ１３０２において、参照ビットｒ（ｉ）が挿入されたＮＰＵＳＣＨの符号化ビット系列ｑ（ｉ）を、ビット系列ｂ（ｉ）と定義する。
【００８７】
ステップ１３０３において、ビット系列ｂ（ｉ）を、疑似ランダム系列ｃ（ｉ）を用いてスクランブルすることによって、ビット系列ｂ’（ｉ）が与えられる。疑似ランダム系列ｃ（ｉ）は、上述した（Ａ）から（Ｆ）の一部、または、全部に少なくとも基づいて初期化されてもよい。
【００８８】
ＮＰＵＳＣＨが複数のサブフレームにおいて送信される場合、Ｘサブフレームのブロック毎に疑似ランダム系列ｃ（ｉ）は初期化されてもよい。例えば、Ｘは４である。ここで、当該ブロックに対する疑似ランダム系列ｃ（ｉ）の初期化は、当該ブロックのインデックスに少なくとも基づいて行われてもよい。
【００８９】
ステップ１３０４において、π／２−ＢＰＳＫ変調を用いてビット系列ｂ’（ｉ）から変調シンボルｄ（ｉ）を生成する。
【００９０】
ステップ１３０５において、変調シンボルｄ（ｉ）からシンボルにおける時間連続信号ｓｉ（ｔ）（time continuous signal）が生成される。時間連続信号をベースバンド信号とも称する。ステップ１３０５において、変調シンボルｄ（ｉ）のそれぞれをＮＰＵＳＣＨが割り当てられたリソースエレメントにマップし、当該変調シンボルｄ（ｉ）のそれぞれに対して周波数領域同期パルスシェーピング（frequency domain sinc pulse shaping
）、および、ＣＰ（Cyclic Prefix）の挿入を実行することによって、シンボルにおける
時間連続信号ｓｉ（ｔ）が得られる。ここで、変調シンボルｄ（ｉ）、および、時間連続信号ｓｉ（ｔ）は、同じサブキャリアｋに対応する。ＮＰＵＳＣＨが対応するするサブキャリアｋは、下りリンク制御情報によって示されてもよい。
【００９１】
上記のように、ＮＰＵＳＣＨの符号化ビット系列ｑ（ｉ）、および、参照ビットｒ（ｉ）をともにπ／２−ＢＰＳＫ変調するため、ＮＰＵＳＣＨの信号、および、参照信号の間の包絡線の変動を低く抑えることができ、消費電力を大きく抑えることができる。また、上記のように、ＮＰＵＳＣＨの符号化ビット系列ｑ（ｉ）、および、参照ビットｒ（ｉ）をともに、疑似ランダム系列ｃ（ｉ）でスクランブルすることによって、端末装置１の構成を簡略化することができ、且つ、同じ周波数のセルであり、地理的に異なる位置のセル間の干渉をランダム化することができる。
【００９２】
ここで、参照ビットの系列ｒ（ｉ）は、上記の疑似ランダム系列ｃ（ｉ）とは異なる疑似ランダム系列ｃ’（ｉ）であってもよく、上記の疑似ランダム系列ｃ（ｉ）によってスクランブルされなくてもよい。疑似ランダム系列ｃ’（ｉ）は、以下の（Ａ）から（Ｆ）の一部、または、全部に少なくとも基づいて初期化されてもよい。疑似ランダム系列ｃ（ｉ）、および、疑似ランダム系列ｃ’（ｉ）は、異なるパラメータのセットに基づいて初期化されてもよい。例えば、疑似ランダム系列ｃ（ｉ）は（Ａ）ＮＢ−ＩｏＴセルのＮＰＣＩ、および、（Ｃ）ＮＰＵＳＣＨが対応するＲＮＴＩに少なくとも基づいて初期化され、且つ、疑似ランダム系列ｃ’（ｉ）は（Ａ）ＮＢ−ＩｏＴセルのＮＰＣＩ、および、（Ｅ）ＮＰＵＳＣＨが対応するサブキャリアインデックス／番号ｋに少なくとも基づいて初期化されてもよい。これにより、ＮＰＵＳＣＨの信号に対して、セル間の干渉をランダム化することができる。また、セル間のＮＵＬ  ＲＳの組み合わせを考慮して、セルのそれぞれにおいてＮＰＣＩの設定を行うことができる。
【００９３】
図１４は、本実施形態におけるπ／４−ＱＰＳＫが適用されるＮＰＵＳＣＨに関連する参照信号の一例を示す図である。図１４は、参照ビットｒ（ｉ）が２ビットずつ挿入される点が図１０とは異なる。
【００９４】
以下、本実施形態における、端末装置１の態様について説明する。
【００９５】
（１）本実施形態の第１の態様は、端末装置１であって、チャネル（ＮＰＵＳＣＨ）で情報（上りリンクデータ、および／または、上りリンク制御情報）を送信する送信部１０と、前記情報のビット系列ｂ’（ｉ）をπ／２シフトＢＰＳＫ（Binary Phase Shift Keying）変調することによって、π／２シフトＢＰＳＫ変調シンボルの系列ｄ（ｉ）を生成
する変調部１４と、を備え、前記π／２シフトＢＰＳＫ変調シンボルの系列ｄ（ｉ）の最初のπ／２シフトＢＰＳＫ変調シンボルｄ（０）の信号点は、前記チャネルが対応するサブキャリアのサブキャリアインデックスｋ、および／または、ＮＰＣＩ（Narrowband Physical layer Cell Identity）に少なくとも基づいて与えられる。
【００９６】
（２）本実施形態の第２の態様は、端末装置１であって、チャネル（ＮＰＵＳＣＨ）で情報（上りリンクデータ、および／または、上りリンク制御情報）を送信する送信部１０と、前記情報のビット系列ｂ’（ｉ）をπ／２シフトＢＰＳＫ（Binary Phase Shift Keying）変調することによって、π／２シフトＢＰＳＫ変調シンボルの系列ｄ（ｉ）を生成
する変調部１４と、を備え、前記π／２シフトＢＰＳＫ変調シンボルの系列ｄ（ｉ）の最初のπ／２シフトＢＰＳＫ変調シンボルｄ（０）の信号点は、信号点のセットに含まれる信号点であって、前記信号点のセットは、｛１、−１｝または｛ｊ、−ｊ｝であり、且つ、前記チャネルが対応するサブキャリアのサブキャリアインデックスｋ、および／または、ＮＰＣＩ（Narrowband Physical layer Cell Identity）に少なくとも基づいて与えら
れ、前記ｊは虚数単位である。
【００９７】
（３）本実施形態の第３の態様は、端末装置１であって、チャネル（ＮＰＵＳＣＨ）で情報（上りリンクデータ、および／または、上りリンク制御情報）を送信する送信部１０と、前記情報のビット系列ｂ’（ｉ）をπ／２シフトＢＰＳＫ（Binary Phase Shift Keying）変調することによって、π／２シフトＢＰＳＫ変調シンボルの系列ｄ（ｉ）を生成
する変調部１４と、を備え、前記π／２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックスｋ、および／または、ＮＰＣＩ（Narrowband Physical layer Cell Identity）
に少なくとも基づいて与えられる。
【００９８】
（４）本実施形態の第３の態様において、端末装置１は、下りリンクにおいて送信されるＮＳＳＳ（Narrowband Secondary Synchronization Signal）に少なくとも基づいて前
記ＮＰＣＩを検出する受信部１０を備える。
【００９９】
（５）本実施形態の第３の態様において、前記受信部１０は、前記チャネルが対応する前記サブキャリアの前記サブキャリアインデックスｋを示す下りリンク制御情報を含むＮＰＤＣＣＨ（Narrowband Physical Downlink Control Channel）を受信する
【０１００】
（６）本実施形態の第４の態様は、基地局装置３であって、チャネル（ＮＰＵＳＣＨ）で情報（上りリンクデータ、および／または、上りリンク制御情報）を受信する受信部３０と、前記情報のビット系列ｂ’（ｉ）から生成されたπ／２シフトＢＰＳＫ（Binary Phase Shift Keying）変調シンボルの系列ｄ（ｉ）を復調する復調部３５と、を備え、前
記π／２シフトＢＰＳＫ変調シンボルの系列ｄ（ｉ）の最初のπ／２シフトＢＰＳＫ変調シンボルｄ（０）の信号点は、前記チャネルが対応するサブキャリアのサブキャリアインデックスｋ、および／または、ＮＰＣＩ（Narrowband Physical layer Cell Identity）
に少なくとも基づいて与えられる。
【０１０１】
（７）本実施形態の第５の態様は、基地局装置３であって、チャネル（ＮＰＵＳＣＨ）で情報（上りリンクデータ、および／または、上りリンク制御情報）を受信する受信部３０と、前記情報のビット系列ｂ’（ｉ）から生成されたπ／２シフトＢＰＳＫ（Binary Phase Shift Keying）変調シンボルの系列ｄ（ｉ）を復調する復調部３５と、を備え、前
記π／２シフトＢＰＳＫ変調シンボルの系列ｄ（ｉ）の最初のπ／２シフトＢＰＳＫ変調シンボルｄ（０）の信号点は、信号点のセットに含まれる信号点であって、前記信号点のセットは、｛１、−１｝または｛ｊ、−ｊ｝であり、且つ、前記チャネルが対応するサブキャリアのサブキャリアインデックスｋ、および／または、ＮＰＣＩ（Narrowband Physical layer Cell Identity）に少なくとも基づいて与えられ、前記ｊは虚数単位である。
【０１０２】
（８）本実施形態の第６の態様は、基地局装置３であって、チャネル（ＮＰＵＳＣＨ）で情報（上りリンクデータ、および／または、上りリンク制御情報）を受信する受信部３０と、前記情報のビット系列ｂ’（ｉ）から生成されたπ／２シフトＢＰＳＫ（Binary Phase Shift Keying）変調シンボルの系列ｄ（ｉ）を復調する復調部３５と、を備え、前
記π／２シフトＢＰＳＫ変調シンボルの系列ｄ（ｉ）のそれぞれに対して、０度、または、９０度の位相回転が交互に適用され、前記π／２シフトＢＰＳＫ変調シンボルの系列ｄ（ｉ）の最初のπ／２シフトＢＰＳＫ変調シンボルｄ（０）に適用される位相回転量は、前記チャネルが対応するサブキャリアのサブキャリアインデックスｋ、および／または、ＮＰＣＩ（Narrowband Physical layer Cell Identity）に少なくとも基づいて与えられ
る。
【０１０３】
（９）本実施形態の第６の態様において、前記基地局装置３は、前記ＮＰＣＩに基づいて生成されるＮＳＳＳ（Narrowband Secondary Synchronization Signal）を送信する送
信部３０を備える。
【０１０４】
（１０）本実施形態の第６の態様において、前記送信部３０は、前記チャネルが対応する前記サブキャリアの前記サブキャリアインデックスｋを示す下りリンク制御情報を含むＮＰＤＣＣＨ（Narrowband Physical Downlink Control Channel）を送信する。
【０１０５】
上述した実施形態は、π／２−ＢＰＳＫ変調シンボル、π／２−ＤＢＰＳＫ変調シンボル、π／４−ＱＰＳＫ変調シンボル、および、π／４−ＤＱＰＳＫ変調シンボルに対して適用されてもよい。また、上述した実施形態は、他の変調シンボルに対して適用されてもよい。
【０１０６】
これにより、端末装置および基地局装置は互いに、効率的に通信することができる。
【０１０７】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１０８】
また、上述した実施形態における基地局装置３は、ＥＵＴＲＡＮ（Evolved Universal Terrestrial Radio Access Network）であってもよい。また、上述した実施形態における
基地局装置３は、ｅＮｏｄｅＢに対する上位ノードの機能の一部または全部を有してもよい。
【０１０９】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１１０】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１１１】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１１２】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１１３】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１１４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発
明の技術的範囲に含まれる。また、上記各実施形態に記載された要素であり、同様の効果を奏する要素同士を置換した構成も含まれる。
【符号の説明】
【０１１５】
１（１Ａ、１Ｂ、１Ｃ、１Ｄ）  端末装置
３（３Ａ、３Ｂ）  基地局装置
１０  無線送受信部
１１  アンテナ部
１２  ＲＦ部
１３  ベースバンド部
１４  符号化および変調部
１５  復号および復調部
１６  上位層処理部
１７  媒体アクセス制御層処理部
１８  無線リソース制御層処理部
３０  無線送受信部
３１  アンテナ部
３２  ＲＦ部
３３  ベースバンド部
３４  符号化および変調部
３５  復号および復調部
３６  上位層処理部
３７  媒体アクセス制御層処理部
３８  無線リソース制御層処理部
【図１】
2019075595.tif 000003
【図２】
2019075595.tif 000004
【図３】
2019075595.tif 000005
【図４】
2019075595.tif 000006
【図５】
2019075595.tif 000007
【図６】
2019075595.tif 000008
【図７】
2019075595.tif 000009
【図８】
2019075595.tif 000010
【図９】
2019075595.tif 000011
【図１０】
2019075595.tif 000012
【図１１】
2019075595.tif 000013
【図１２】
2019075595.tif 000014
【図１３】
2019075595.tif 000015
【図１４】
2019075595.tif 000016